(57)【要約】表示システムは、複数台の表示装置（１１、１２）と、複数台の表示装置（１１、１２）に接続された制御装置（３０）と、を具備し、制御装置（３０）は、複数台の表示装置（１１、１２）の中から、少なくとも１つの表示装置（１１）をユーザに選択させる装置選択部（１３１）と、選択された表示装置（１１）に画像データを表示する表示制御部（１３２）と、を具備する。これにより、複数台の表示装置に対して画像データを表示する際に、画像データを見易くするために、ユーザが意図した位置に表示することができる表示システムを提供することとなる。
2017150223.tif 000002
【特許請求の範囲】
【請求項１】
コンテンツが表示可能な複数の表示装置と通信可能な表示制御装置であって、
コンテンツを入力又は受信したときに、各表示装置においてその旨を通知する通知情報を表示する制御を行う通知情報表示制御部と、
前記表示装置から、コンテンツ表示選択信号を受信するコンテンツ表示選択信号受信部と、
前記コンテンツ表示選択信号を受信した場合には、当該コンテンツ表示選択信号を送信した表示装置に、前記コンテンツを表示する制御を行うコンテンツ表示制御部と、
を備えることを特徴とする表示制御装置。
【請求項２】
前記通知情報は、前記コンテンツを入力又は受信したことをメッセージにより通知するためのメッセージ情報を含むことを特徴とする請求項１に記載の表示制御装置。
【請求項３】
メッセージを入力するメッセージ入力部を更に有し、
前記通知情報は、前記メッセージ入力部により入力されたメッセージにより通知することを特徴とする請求項２に記載の表示制御装置。
【請求項４】
前記通知情報は、前記コンテンツを入力又は受信したことを、前記コンテンツのプレビュー表示を行うことにより通知するプレビュー表示情報であることを特徴とする請求項１に記載の表示制御装置。
【請求項５】
前記通知情報表示制御部は、前記コンテンツを入力又は受信したときに、その旨を、各表示装置の表示画面を点滅させることにより通知することを特徴とする請求項１から４のいずれか一項に記載の表示制御装置。
【請求項６】
前記通知情報表示制御部は、前記コンテンツを入力又は受信したときに、その旨を、各表示装置の報知手段により報知することにより通知することを特徴とする請求項１から５のいずれか一項に記載の表示制御装置。
【請求項７】
コンテンツが表示可能な複数の表示装置と、前記表示装置と通信可能な表示制御装置と、を含む表示システムであって、
前記表示制御装置は、
コンテンツを入力又は受信したときに、前記表示装置においてその旨を通知するために利用される通知情報を各表示装置に送信する通知情報送信部と、
を備え、
前記表示装置は、
前記表示制御装置から受信された通知情報を表示する通知情報表示部と、
前記表示された通知情報が利用者により選択された場合に、前記表示制御装置にコンテンツ表示選択信号を送信するコンテンツ表示選択信号送信部と、
を備え、
前記表示制御装置は、
前記コンテンツ表示選択信号を受信した場合に、当該コンテンツ表示選択信号の送信元である表示装置に、前記コンテンツを送信するコンテンツ送信部を備えることを特徴とする表示システム。
【請求項８】
前記表示制御装置におけるコンテンツ送信部は、
前記コンテンツ表示選択信号を受信した後、他の表示装置からコンテンツ表示選択信号を受信した場合には、所定時間内に受信したコンテンツ表示選択信号の送信元である表示装置に、前記コンテンツを送信することを特徴とする請求項７に記載の表示システム。
【請求項９】
コンテンツが表示可能な複数の表示装置と通信可能な表示制御装置における表示制御方法であって、
コンテンツを入力又は受信したときに、各表示装置においてその旨を通知する通知情報を表示する制御を行う通知情報表示制御ステップと、
前記表示装置から、コンテンツ表示選択信号を受信するコンテンツ表示選択信号受信ステップと、
前記コンテンツ表示選択信号を受信した場合には、当該コンテンツ表示選択信号を送信した表示装置に、前記コンテンツを表示する制御を行うコンテンツ表示制御ステップと、
を有することを特徴とする表示制御方法。
【発明の詳細な説明】
【技術分野】
【０００１】
本発明は、複数台の表示装置に画像データを表示する表示システム等に関する。本出願は、２０１６年２月２９日に日本国において出願された特願２０１６−３７５６０に対して、優先権の利益を主張するものであり、それを参照することにより、その内容の全てが本出願に含まれるものである。
【背景技術】
【０００２】
複数台の表示装置が並べて配置されたマルチディスプレイが開発されている。マルチディスプレイでは、複数台の表示装置を１つの画面として構成することができ、その１画面に画像データなどのコンテンツを表示することができる。【０００３】
例えば、マルチディスプレイとして２台の表示装置が左右に並べて配置されている場合、ユーザ（先生、プレゼンターなど）は、画像データをマルチディスプレイに表示させて、視聴者（生徒、受講者など）に対して授業または講義を行なうことができる。【０００４】
しかしながら、マルチディスプレイでは、２台の表示装置が１つの画面として構成されているため、画像データを表示する際に、画像データが２台の表示装置に跨って表示されてしまう。【０００５】
ここで、特許文献１は、画像データが２台の表示装置に跨って表示された場合に、２台の表示装置のうちの一方の表示装置に画像データを自動的に移動させる技術を開示している。【０００６】
また、特許文献２は、画像データが２台の表示装置に跨って表示された場合に、利用者のスワイプ操作（スライド操作）により、２つの表示装置のうちの一方の表示装置に画像データを移動させる技術を開示している。スライド操作により画像データを移動させる技術については、特許文献３にも開示されている。
【先行技術文献】
【特許文献】
【０００７】
【特許文献１】特許第４７９９０１３号公報
【特許文献２】特許第５７７７９１５号公報
【特許文献３】特開平１１−１９１０３６号公報
【発明の概要】
【発明が解決しようとする課題】
【０００８】
しかしながら、特許文献１、２に開示された技術では、まず、画像データが２台の表示装置に跨って表示されてしまう。ユーザ（先生、プレゼンターなど）や視聴者（生徒、受講者など）にとっては、最初から画像データが見易く表示されることが好ましい。【０００９】
また、特許文献１に開示された技術では、利用者に対して画像データを見易くさせるために、２台の表示装置のうちの一方の表示装置に画像データを自動的に移動させている。ユーザにとっては、視聴者に授業または講義を行なう都合上、画像データが自動的に（すなわち、勝手に）移動するのではなく、画像データを意図した位置に表示させたいものである。【００１０】
また、特許文献２に開示された技術では、利用者が画像データを見易くするために、利用者自身で２つの表示装置のうちの一方の表示装置に画像データを移動させている。ユーザにとっては、ユーザ自身が２台の表示装置のうちの一方の表示装置に画像データを移動させることは、授業または講義を進める上で支障がある。【００１１】
本発明は、上記従来の問題点に鑑みてなされたものであって、複数台の表示装置に対してコンテンツを表示する際に、利用者が意図した位置に表示することができる表示制御装置等を提供することを目的とする。
【課題を解決するための手段】
【００１２】
本発明の表示制御装置は、
コンテンツが表示可能な複数の表示装置と通信可能な表示制御装置であって、
コンテンツを入力又は受信したときに、各表示装置においてその旨を通知する通知情報を表示する制御を行う通知情報表示制御部と、
前記表示装置から、コンテンツ表示選択信号を受信するコンテンツ表示選択信号受信部と、
前記コンテンツ表示選択信号を受信した場合には、当該コンテンツ表示選択信号を送信した表示装置に、前記コンテンツを表示する制御を行うコンテンツ表示制御部と、
を備えることを特徴とする。【００１３】
本発明の表示システムは、
コンテンツが表示可能な複数の表示装置と、前記表示装置と通信可能な表示制御装置と、を含む表示システムであって、
前記表示制御装置は、
コンテンツを入力又は受信したときに、前記表示装置においてその旨を通知するために利用される通知情報を各表示装置に送信する通知情報送信部と、を備え、
前記表示装置は、
前記表示制御装置から受信された通知情報を表示する通知情報表示部と、
前記表示された通知情報が利用者により選択された場合に、前記表示制御装置にコンテンツ表示選択信号を送信するコンテンツ表示選択信号送信部と、を備え、
前記表示制御装置は、
前記コンテンツ表示選択信号を受信した場合に、当該コンテンツ表示選択信号の送信元である表示装置に、前記コンテンツを送信するコンテンツ送信部を備えることを特徴とする。【００１４】
本発明の表示制御方法は、
コンテンツが表示可能な複数の表示装置と通信可能な表示制御装置における表示制御方法であって、
コンテンツを入力又は受信したときに、各表示装置においてその旨を通知する通知情報を表示する制御を行う通知情報表示制御ステップと、
前記表示装置から、コンテンツ表示選択信号を受信するコンテンツ表示選択信号受信ステップと、
前記コンテンツ表示選択信号を受信した場合には、当該コンテンツ表示選択信号を送信した表示装置に、前記コンテンツを表示する制御を行うコンテンツ表示制御ステップと、
を有することを特徴とする。
【発明の効果】
【００１５】
本発明によれば、複数台の表示装置に対してコンテンツを表示する際に、コンテンツ、利用者が意図した位置に表示することができる。
【図面の簡単な説明】
【００１６】
【図１】第１実施形態に係る表示システムの構成を示すブロック図である。
【図２】第１実施形態に係る表示システムの制御装置のテーブルを示す図である。
【図３】第１実施形態に係る表示システムの構成において、複数台の表示装置の配置を示す図である。
【図４】第１実施形態に係る表示システムの動作（表示処理）を示すフローチャートである。
【図５】第１実施形態に係る表示システムの動作（表示処理）として、基本動作（１ページ画像表示処理）について説明するための図である。
【図６】第１実施形態に係る表示システムの動作（表示処理）として、基本動作（１ページ画像表示処理）について説明するための図である。
【図７】第１実施形態に係る表示システムの動作（表示処理）として、基本動作（１ページ画像表示処理）について説明するための図である。
【図８】第１実施形態に係る表示システムの動作（表示処理）として、基本動作（１ページ画像表示処理）について説明するための図である。
【図９】第１実施形態に係る表示システムの動作（表示処理）として、拡張動作（複数ページ画像表示処理）について説明するための図である。
【図１０】第１実施形態に係る表示システムの動作（表示処理）として、拡張動作（複数ページ画像表示処理）について説明するための図である。
【図１１】第１実施形態に係る表示システムの動作（表示処理）として、拡張動作（複数ページ画像表示処理）について説明するための図である。
【図１２】第１実施形態に係る表示システムの動作（表示処理）として、拡張動作（複数ページ画像表示処理）について説明するための図である。
【図１３】第１実施形態に係る表示システムの動作（表示処理）として、拡張動作（複数ページ画像表示処理）について説明するための図である。
【図１４】第１実施形態に係る表示システムの動作（表示処理）として、拡張動作（複数ページ画像表示処理）について説明するための図である。
【図１５】第２実施形態に係る表示システムの動作（表示処理）として、拡張動作（切り替え表示処理）について説明するための図である。
【図１６】第２実施形態に係る表示システムの動作（表示処理）として、拡張動作（切り替え表示処理）について説明するための図である。
【図１７】第２実施形態に係る表示システムの動作（表示処理）として、拡張動作（切り替え表示処理）について説明するための図である。
【図１８】第２実施形態に係る表示システムの動作（表示処理）として、拡張動作（切り替え表示処理）について説明するための図である。
【図１９】第２実施形態に係る表示システムの動作（表示処理）として、拡張動作（切り替え表示処理）について説明するための図である。
【図２０】第２実施形態に係る表示システムの動作（表示処理）として、拡張動作（切り替え表示処理）について説明するための図である。
【図２１】第２実施形態に係る表示システムの動作（表示処理）として、拡張動作（切り替え表示処理）について説明するための図である。
【図２２】第２実施形態に係る表示システムの動作（表示処理）として、拡張動作（切り替え表示処理）について説明するための図である。
【図２３】第２実施形態に係る表示システムの動作（表示処理）として、拡張動作（切り替え表示処理）について説明するための図である。
【図２４】第３実施形態に係る表示システムの構成を示すブロック図である。
【図２５】第３実施形態に係る表示システムの動作（表示処理）について説明するための図である。
【図２６】第３実施形態に係る表示システムの動作（表示処理）について説明するための図である。
【図２７】第３実施形態に係る表示システムの動作（表示処理）について説明するための図である。
【図２８】第３実施形態に係る表示システムの動作（表示処理）について説明するための図である。
【図２９】第４実施形態に係る表示システムの動作（表示処理）について説明するための図である。
【図３０】第５実施形態に係る表示システムの動作（表示処理）について説明するための図である。
【図３１】第５実施形態に係る表示システムの動作（表示処理）について説明するための図である。
【図３２】第５実施形態に係る表示システムの動作（表示処理）について説明するための図である。
【図３３】第５実施形態に係る表示システムの動作（表示処理）について説明するための図である。
【図３４】第６実施形態に係る表示システムの動作（表示処理）について説明するための図である。
【図３５】第６実施形態に係る表示システムの動作（表示処理）について説明するための図である。
【図３６】第７実施形態に係る表示システムの動作（表示処理）について説明するための図である。
【図３７】第７実施形態に係る表示システムの動作（表示処理）について説明するための図である。
【図３８】第７実施形態に係る表示システムの動作（表示処理）について説明するための図である。
【図３９】第７実施形態に係る表示システムの動作（表示処理）について説明するための図である。
【図４０】第７実施形態に係る表示システムの動作（表示処理）について説明するための図である。
【図４１】第７実施形態に係る表示システムの動作（表示処理）について説明するための図である。
【図４２】第８実施形態に係る表示システムの構成において、複数台の表示装置の配置を示す図である。
【図４３】第８実施形態に係る表示システムの動作（表示処理）について説明するための図である。
【図４４】第８実施形態に係る表示システムの動作（表示処理）について説明するための図である。
【図４５】第９実施形態に係る表示システムの動作（表示処理）について説明するための図である。
【図４６】第１０実施形態に係る表示システムの動作（表示処理）について説明するための図である。
【図４７】本明細書における動作の流れを説明するためのシーケンス図である。
【発明を実施するための形態】
【００１７】
以下、図面を参照しながら本発明の実施形態について説明する。
［第１実施形態］
図１は、第１実施形態に係る表示システムの構成を示すブロック図である。図１に示されるように、第１実施形態に係る表示システムは、複数台の表示装置と、複数の入力検知装置と、制御装置３０と、を具備している。
【００１８】
複数台の表示装置は、図示しないＬＣＤ（Liquid Crystal Display）である。本実施形態では、複数台の表示装置は、例えば、２台の表示装置１１、１２であるものとする。また、本実施形態では、表示装置をＬＣＤとして説明するが、ＯＥＬＤ（Organic Electro Luminescence Display）、自発光型ディスプレイ等の表示装置であってもよい。
【００１９】
複数の入力検知装置は、タッチパネルである。本実施形態では、複数の入力検知装置は、入力検知装置２１、２２であるものとする。ユーザ（先生、プレゼンターなど）が視聴者（生徒、受講者など）に対して説明を行なう都合上、表示装置に表示された画像データに対して、補足説明として入力情報を反映させたい場合がある。この場合、複数台の表示装置１１、１２はタッチパネルディスプレイを構成するように使用されることが好ましい。複数の入力検知装置２１、２２は、これを実現する。
【００２０】
複数の入力検知装置２１、２２は、それぞれ複数台の表示装置１１、１２に設けられている。すなわち、複数台の表示装置１１、１２は、それぞれ、自身のＬＣＤと、複数の入力検知装置２１、２２（タッチパネル）とにより、タッチパネルディスプレイとして使用される。複数の入力検知装置２１、２２は、それぞれ、ユーザが複数台の表示装置１１、１２に対して指先またはペン先により文字等を入力したとき、複数台の表示装置１１、１２に対するユーザの入力を検知する。
【００２１】
複数の入力検知装置２１、２２としては、静電容量センサや、光センサが例示される。静電容量センサは、例えば、複数台の表示装置１１、１２のＬＣＤにマトリクス状に配置され、そのＬＣＤに所定距離以下に近接した指示媒体（ペン先またはユーザの指先）を検出する。光センサは、複数台の表示装置１１、１２のＬＣＤの各画素に内蔵されることによりマトリクス状に配置され、そのＬＣＤに接触する指示媒体（ペン先またはユーザの指先）を検出する。
【００２２】
また、表示装置としてプロジェクタを利用し、入力検知装置として人感センサ等を利用してシステムを構築してもよい。
【００２３】
制御装置３０は、複数台の表示装置１１、１２と、複数の入力検知装置２１、２２とに接続されている。ここで、制御装置３０は、例えば、コンピュータや、携帯端末といった装置であってもよいし、表示装置に内蔵された制御装置であってもよい。また、汎用のコンピュータ等に、後述する処理を実行するプログラムをコンピュータやタブレット、スマートフォン、デジタルカメラ、電子辞書といった情報処理装置にインストールし、実行することで、制御装置として動作させてもよい。
【００２４】
この制御装置３０は、記憶部３１と、制御部３２とを具備している。制御部３２は、ＣＰＵ（Central Processing Unit）であり、複数の入力検知装置２１、２２、複数台の表示装置１１、１２を制御する。記憶部３１にはコンピュータプログラムが格納され、制御部３２は、そのコンピュータプログラムを実行する。
【００２５】
記憶部３１は、テーブル１４１を備えている。図２は、第１実施形態に係る表示システムの制御装置３０のテーブル１４１を示す図である。図２に示されるように、テーブル１４１には、複数台の表示装置１１、１２のそれぞれを識別するための複数の表示装置識別情報ＩＤ１１、ＩＤ１２が格納されている。また、テーブル１４１には、複数台の表示装置１１、１２の配置（並び）を示す配置情報が格納されている。
【００２６】
図３は、第１実施形態に係る表示システムの構成において、複数台の表示装置１１、１２の配置を示す図である。図３に示されるように、複数台の表示装置１１、１２は、部屋（教室）１０００の第１の壁の近くに、左右方向に一列に並んで配置されている。具体的には、複数台の表示装置１１、１２は、この順番で左から右に並べて配置されている。この場合、図２に示されるように、テーブル１４１には、表示装置１１を識別するための表示装置識別情報ＩＤ１１に対して、左から１番目を表す配置情報として「１」が格納され、表示装置１２を識別するための表示装置識別情報ＩＤ１２に対して、左から２番目を表す配置情報として「２」が格納されている。
【００２７】
また、図３に示されるように、例えば、机１０１０及び椅子（図示しない）は、１台目の表示装置１１の両端のうちの、表示装置が設けられていない端部の付近に配置されている。机１０１０及び椅子（図示しない）は、ユーザ１０１（先生、プレゼンターなど）により使用される。机１０２０及び椅子（図示しない）は、複数台の表示装置１１、１２と、部屋１０００の第１の壁に対向する第２の壁との間に、最前列から最後列まで配置されている。机１０２０及び椅子（図示しない）は、１列あたり数名の視聴者１０２（生徒、受講者など）により使用される。
【００２８】
図１に示されるように、記憶部３１は、更に、フォルダ１４２を備えている。制御部３２は、他の装置から画像データを受信したときに、その画像データをフォルダ１４２に保存する。または、第１実施形態に係る表示システムは、コピーやファクシミリ等の機能を実現する複合機であり、画像データが入力（スキャン）されたときに、制御部３２は、その画像データをフォルダ１４２に保存する。
【００２９】
図１に示されるように、制御部３２は、装置選択部１３１と、表示制御部１３２と、ページ操作制御部１３３とを備えている。
【００３０】
装置選択部１３１は、複数台の表示装置１１、１２の中から、１つの表示装置をユーザ１０１に選択させる。装置選択部１３１は、通知制御部１３１Ａを備え、通知制御部１３１Ａは、画像データを入力または受信したときに（入力または受信された画像データがフォルダ１４２に保存されたときに）、その旨を複数台の表示装置１１、１２によりユーザ１０１に通知する。装置選択部１３１は、複数台の表示装置１１、１２のうちの、ユーザ１０１によりタッチされた表示装置を選択する。
【００３１】
具体的な動作について、一例を説明する。装置選択部１３１の通知制御部１３１Ａから、各表示装置に、その旨、すなわちコンテンツが入力又は受信されたことを通知するためのコンテンツ受信信号（例えば通知情報）が送信される。選択する表示装置において、ユーザがタッチすると、入力検知装置によりユーザが選択されたことが検知され、コンテンツ選択信号が制御装置３０に送信される。制御装置３０において、装置選択部１３１がコンテンツ選択信号を受信すると、コンテンツ選択信号を送信した表示装置が選択されることとなる。
【００３２】
表示制御部１３２は、ユーザ１０１により選択された表示装置に、フォルダ１４２に保存された画像データを表示する。
【００３３】
ページ操作制御部１３３は、表示装置に表示された画像データに対して、ユーザ１０１のタッチによりページ操作（ページ送り、または、ページ戻し）を行なう。
【００３４】
次に、第１実施形態に係る表示システムの動作（表示処理）として、基本動作（１ページ画像表示処理）、拡張動作（複数ページ画像表示処理）について説明する。
【００３５】
（基本動作（１ページ画像表示処理））
図４は、第１実施形態に係る表示システムの動作（表示処理）を示すフローチャートである。図５〜８は、第１実施形態に係る表示システムの動作（表示処理）として、基本動作（１ページ画像表示処理）について説明するための図である。
【００３６】
図５に示されるように、制御装置３０において、制御部３２（図１）は、画像データＰ１（コンテンツ）を入力または受信する（図４のステップＳ１）。このとき、制御部３２（図１）は、その画像データＰ１をフォルダ１４２（図１）に保存する。また、通知制御部１３１Ａ（図１）は、画像データＰ１を入力または受信した旨を表す通知情報を、複数台の表示装置１１、１２に表示することにより、ユーザ１０１（図３）に通知する。図６に示されるように、通知情報は、例えば、画像データを入力または受信したことをメッセージにより通知するためのメッセージ情報１２０である。具体的には、画像データ（コンテンツ）が受信された場合、メッセージ情報１２０に基づいて、メッセージ「受信」が複数台の表示装置１１、１２に表示される（図４のステップＳ２）。
【００３７】
ここで、制御装置３０から、各表示装置（表示装置１１、１２）にメッセージ情報を表示する方法としては種々考えられる。例えば、制御装置３０から、各表示装置に、コンテンツ受信信号を送信する。各表示装置は、コンテンツ受信信号を受信すると、メッセージ情報１２０を表示する。
【００３８】
ここで、コンテンツ受信信号は、通知情報としてメッセージ情報１２０の内容を含んでいてもよいし、含んでいなくてもよい。例えば、コンテンツ受信信号に、メッセージ情報１２０の内容が含まれている場合、各表示装置はコンテンツ受信信号に基づいてメッセージ情報１２０を表示する。
【００３９】
また、コンテンツ受信信号が単なる通知信号であって、メッセージ情報１２０は各表示装置に記憶されている場合には、コンテンツ受信信号を受信したことにより、メッセージ情報１２０を表示すればよい。
【００４０】
ここで、ユーザ１０１（図３）が複数台の表示装置１１、１２のいずれもタッチしない場合（図４のステップＳ３−Ｎｏ）、複数台の表示装置１１、１２には、メッセージ情報１２０が表示され続けている。
【００４１】
一方、図７に示されるように、ユーザ１０１が複数台の表示装置１１、１２のうちの表示装置１１をタッチした場合（図４のステップＳ３−Ｙｅｓ）、複数の入力検知装置２１、２２のうちの入力検知装置２１は、表示装置１１に対するユーザのタッチを検知する。制御装置３０の装置選択部１３１（図１）は、複数台の表示装置１１、１２のうちの、ユーザ１０１によりタッチされた表示装置１１を選択する（図４のステップＳ４）。
【００４２】
ここで、選択された表示装置１１上のユーザ１０１によりタッチされた位置にメッセージ情報１２０が存在しない場合（図４のステップＳ５−Ｎｏ）、入力検知装置２１は、選択された表示装置１１に対してユーザ１０１がタッチしたときの入力を検知し、図示しない入力情報を生成する。入力情報は、ユーザ１０１により入力（描画）された文字や図形等を表している。制御装置３０の表示制御部１３２（図１）は、選択された表示装置１１上のユーザ１０１によりタッチされた位置に、入力情報を表示する。
【００４３】
一方、選択された表示装置１１上のユーザ１０１によりタッチされた位置にメッセージ情報１２０が表示されている（存在する）場合（図４のステップＳ５−Ｙｅｓ）、制御装置３０の表示制御部１３２（図１）は、画像データＰ１（コンテンツ）の確認として、画像データＰ１のサイズを確認する（図４のステップＳ６）。図８に示されるように、表示制御部１３２（図１）は、選択された表示装置１１の表示可能領域に、コンテンツである画像データＰ１を表示する（図４のステップＳ７）。
【００４４】
なお、ここで上述した「コンテンツ」は、本実施形態では「画像データ」を例に説明したが、他のデータ、例えば文字、数字、記号等の文字列からなるテキストメッセージであってもよいし、動画データであってもよい。すなわち、表示装置に表示可能な種類のコンテンツであればよい。
【００４５】
なお、上述した説明で、制御装置３０、表示装置１１（１２）との挙動は明らかであるが、システム全体の挙動を明確にするために、図４７を用いて更に詳細に説明する。
【００４６】
すなわち、まず制御装置３０でコンテンツが受信される（Ｓ１０２）。制御装置３０は、コンテンツが受信されることを通知するために、制御装置３０と通信可能な表示装置に通知情報を送信する。図４では、通知情報を表示装置１１（Ｓ１０４）と、表示装置１２（Ｓ１０８）とに送信する。ここで、通知情報には、通知情報を識別するための情報（通知識別情報）を含んでもよいし、コンテンツを識別するための情報（コンテンツ識別情報）を含んでもよい。
【００４７】
各表示装置は、通知情報を受信し、通知情報を表示する。本実施形態では、例えばメッセージ情報が含まれている場合には、メッセージ情報を表示する。図４７では、表示装置１１は、通知情報を受信し（Ｓ１０６）、通知情報（メッセージ情報）を表示する（Ｓ１１２）。また、表示装置１２も、通知情報を受信し（Ｓ１１０）、通知情報（メッセージ情報）を表示する（Ｓ１１４）。
【００４８】
ここで、表示装置上で、通知情報（メッセージ情報）が選択されることにより、コンテンツ表示選択信号が、制御装置３０に送信される。図４では、一例として、表示装置１１に表示されている通知情報（メッセージ情報）が利用者により選択され（Ｓ１１６）、選択されたことにより、コンテンツ表示選択信号が制御装置３０に送信される（Ｓ１１８）。ここで、コンテンツ表示選択信号には、表示装置１１を識別するための情報（表示装置識別情報）を含んでもよいし、受信され、選択された通知情報を識別するための情報（通知識別情報）を含んでもよい。
【００４９】
ここで、表示装置識別情報としては、例えば表示装置の固有の識別ＩＤであってもよいし、装置名や、ＩＰアドレス、ＭＡＣアドレス等のコンテンツを要求している表示装置を識別できる情報であってもよい。
【００５０】
制御装置３０は、コンテンツ表示選択信号を受信すると（Ｓ１２０）、コンテンツ表示選択信号の送信元である表示装置に対して、コンテンツを送信する（Ｓ１２２）。本実施形態では、送信元が表示装置１１であるため、表示装置１１に送信する。
【００５１】
なお、このコンテンツを送信する表示装置を特定する方法としては、例えばコンテンツ表示選択信号に含まれている表示装置識別情報に基づいて特定してもよいし、送信先のアドレスに基づいて特定してもよい。
【００５２】
表示装置１１は、コンテンツを受信し（Ｓ１２４）、受信したコンテンツを表示する（Ｓ１２６）。
【００５３】
なお、本実施形態では、コンテンツは１の表示装置に送信される。すなわち、表示装置１２からコンテンツ表示選択信号が送信された場合、制御装置３０は、先にコンテンツ表示選択信号を受信した表示装置にコンテンツを送信する。
【００５４】
このように、上述した制御装置３０と、各表示装置の通信フローは一例であって、図４で説明した内容を実現できる処理であればよい。すなわち、図４において開示されている内容の一例を説明したに過ぎず、図４の処理が実現出来ればよい。
【００５５】
（拡張動作（複数ページ画像表示処理））
図９〜１４は、第１実施形態に係る表示システムの動作（表示処理）として、拡張動作（複数ページ画像表示処理）について説明するための図である。
【００５６】
図９に示されるように、制御装置３０において、制御部３２（図１）は、１ページ目から３ページ目までの複数ページの画像データＰ１〜Ｐ３（コンテンツ）を入力または受信する（図４のステップＳ１）。このとき、制御部３２（図１）は、複数ページの画像データＰ１〜Ｐ３をフォルダ１４２（図１）に保存する。また、図１０に示されるように、通知制御部１３１Ａ（図１）は、複数ページの画像データＰ１〜Ｐ３を入力または受信した旨を表す通知情報（メッセージ情報１２０）を、複数台の表示装置１１、１２に表示することにより、ユーザ１０１（図３）に通知する（図４のステップＳ２）。
【００５７】
図１１に示されるように、ユーザ１０１が複数台の表示装置１１、１２のうちの表示装置１１をタッチした場合（図４のステップＳ３−Ｙｅｓ）、複数の入力検知装置２１、２２のうちの入力検知装置２１は、表示装置１１に対するユーザのタッチを検知する。制御装置３０の装置選択部１３１（図１）は、複数台の表示装置１１、１２のうちの、ユーザ１０１によりタッチされた表示装置１１を選択する（図４のステップＳ４）。
【００５８】
ここで、選択された表示装置（例えば表示装置１１）から、制御装置３０への通知としては種々の方法が考えられる。例えば、入力検知装置２１が、表示装置１１に対するユーザのタッチを検知すると、コンテンツ表示選択信号を制御装置３０に送信する。制御装置３０は、コンテンツ表示選択信号を受信することにより、タッチされた表示装置１１を選択する。
【００５９】
ここで、選択された表示装置１１上のユーザ１０１によりタッチされた位置にメッセージ情報１２０が存在する場合（図４のステップＳ５−Ｙｅｓ）、制御装置３０の表示制御部１３２（図１）は、複数ページの画像データＰ１〜Ｐ３（コンテンツ）の確認として、複数ページの画像データＰ１〜Ｐ３のサイズを確認する（図４のステップＳ６）。図１２に示されるように、表示制御部１３２（図１）は、選択された表示装置１１の表示可能領域に、複数ページの画像データＰ１〜Ｐ３のうちの１ページ目の画像データＰ１を表示する（図４のステップＳ７）。
【００６０】
すなわち、制御装置３０は、コンテンツ表示選択信号が送信された表示装置（例えば表示装置１１）に、コンテンツ（画像データ）を送信する。ここで、コンテンツの送信方法としては、複数ページある画像データの場合は、その都度送信してもよいし、一括して送信してもよいことは勿論である。
【００６１】
ステップＳ７において、図１２に示されるように、ユーザ１０１は、選択された表示装置１１に対してページ操作（この場合、ページ送り）を行なうことができる。ページ操作（ページ送り、または、ページ戻し）は、選択された表示装置１１に対してタッチしてスライド（またはフリック）する操作である。ユーザ１０１によりページ操作（ページ送り）が行なわれた場合、図１３に示されるように、制御装置３０の表示制御部１３２（図１）は、選択された表示装置１１の表示可能領域に、複数ページの画像データＰ１〜Ｐ３のうちの２ページ目の画像データＰ２を表示する。更にユーザ１０１によりページ操作（ページ送り）が行なわれた場合、図１４に示されるように、表示制御部１３２（図１）は、選択された表示装置１１の表示可能領域に、複数ページの画像データＰ１〜Ｐ３のうちの３ページ目の画像データＰ３を表示する。
【００６２】
以上の説明により、第１実施形態に係る表示システムは、複数台の表示装置１１、１２と、複数台の表示装置１１、１２に接続された制御装置３０と、を具備し、制御装置３０は、複数台の表示装置１１、１２の中から、１つの表示装置（第１実施形態の場合、表示装置１１）をユーザ１０１（先生、プレゼンターなど）に選択させる装置選択部１３１と、選択された表示装置１１に画像データＰ１を表示する表示制御部１３２と、を具備している。このように、第１実施形態に係る表示システムでは、複数台の表示装置１１、１２が並べて配置されるようなマルチディスプレイを考慮した場合、画像データＰ１を表示する前に、表示装置１１をユーザ１０１が選択することにより、画像データＰ１を複数台の表示装置１１、１２に跨って表示しないで、選択された表示装置１１に画像データＰ１を表示する。したがって、第１実施形態に係る表示システムによれば、複数台の表示装置１１、１２に対して画像データＰ１を表示する際に、ユーザ１０１や視聴者１０２（生徒、受講者など）に対して画像データＰ１を見易くするために、ユーザ１０１が意図した位置（選択された表示装置１１）に画像データＰ１を表示することができる。
【００６３】
また、第１実施形態に係る表示システムでは、装置選択部１３１は、画像データＰ１を入力または受信したときに、その旨を複数台の表示装置１１、１２によりユーザ１０１に通知する通知制御部１３１Ａを具備し、装置選択部１３１は、複数台の表示装置１１、１２のうちの、ユーザ１０１により指示（タッチ）された表示装置１１を選択する。このように、第１実施形態に係る表示システムでは、画像データＰ１を入力または受信した旨が複数台の表示装置１１、１２によりユーザ１０１に通知された場合、ユーザ１０１は、複数台の表示装置１１、１２のうちの表示装置１１を指示（タッチ）することにより、表示装置１１を、画像データＰ１を表示するための表示装置として選択することができる。
【００６４】
また、第１実施形態に係る表示システムでは、通知制御部１３１Ａは、画像データＰ１を入力または受信したときに、その旨を表す通知情報を複数台の表示装置１１、１２に表示することによりユーザ１０１に通知する。具体的には、通知情報は、画像データを入力または受信したことをメッセージにより通知するためのメッセージ情報１２０である。このように、第１実施形態に係る表示システムでは、画像データＰ１を入力または受信したときに、通知情報（メッセージ情報１２０）を複数台の表示装置１１、１２に表示することにより、ユーザ１０１は、画像データＰ１が入力または受信されたことを視覚的に知ることができる。
【００６５】
また、第１実施形態に係る表示システムでは、表示制御部１３２は、選択された表示装置１１上のユーザ１０１により指示（タッチ）された位置に通知情報（メッセージ情報１２０）が存在する場合、選択された表示装置１１に画像データＰ１を表示する。これにより、第１実施形態に係る表示システムでは、選択された表示装置１１上のユーザ１０１により指示（タッチ）された位置に通知情報（メッセージ情報１２０）が存在しない場合は、その位置に、ユーザ１０１により入力（描画）された入力情報を表示することができる。
【００６６】
［第２実施形態］
第２実施形態に係る表示システムでは、第１実施形態からの変更点を説明する。
【００６７】
図１５〜２３は、第２実施形態に係る表示システムの動作（表示処理）として、拡張動作（切り替え表示処理）について説明するための図である。
【００６８】
図１５に示されるように、制御装置３０において、制御部３２（図１）は、１ページ目から３ページ目までの複数ページの画像データＰ１〜Ｐ３（コンテンツ）を入力または受信する（図４のステップＳ１）。このとき、制御部３２（図１）は、複数ページの画像データＰ１〜Ｐ３をフォルダ１４２（図１）に保存する。また、図１６に示されるように、通知制御部１３１Ａ（図１）は、複数ページの画像データＰ１〜Ｐ３を入力または受信した旨を表す通知情報（メッセージ情報１２０）を、複数台の表示装置１１、１２に表示することにより、ユーザ１０１（図３）に通知する（図４のステップＳ２）。
【００６９】
図１７に示されるように、ユーザ１０１が複数台の表示装置１１、１２のうちの表示装置１１をタッチした場合（図４のステップＳ３−Ｙｅｓ）、複数の入力検知装置２１、２２のうちの入力検知装置２１は、表示装置１１に対するユーザのタッチを検知する。制御装置３０の装置選択部１３１（図１）は、複数台の表示装置１１、１２のうちの、ユーザ１０１によりタッチされた表示装置１１を選択する（図４のステップＳ４）。
【００７０】
ここで、選択された表示装置１１上のユーザ１０１によりタッチされた位置にメッセージ情報１２０が存在する場合（図４のステップＳ５−Ｙｅｓ）、制御装置３０の表示制御部１３２（図１）は、複数ページの画像データＰ１〜Ｐ３（コンテンツ）の表示方法の確認として、図１８に示されるような表示方法選択画面１１０を、選択された表示装置１１の表示可能領域に表示する（図４のステップＳ６）。表示方法選択画面１１０は、例えば、第１〜第５表示パターンに対応付けられた表示パターン選択欄１１１〜１１５を含んでいる。ユーザ１０１が表示パターン選択欄１１１〜１１５のうちの１つの表示パターン選択欄をタッチした場合、表示制御部１３２は、タッチされた表示パターン選択欄に対応付けられた表示パターンで、複数ページの画像データＰ１〜Ｐ３を、選択された表示装置１１を少なくとも含む複数台の表示装置１１、１２の表示可能領域に表示する（図４のステップＳ７）。
【００７１】
例えば、ユーザ１０１が表示パターン選択欄１１１〜１１５のうちの表示パターン選択欄１１１をタッチした場合、制御装置３０の表示制御部１３２（図１）は、第１〜第５表示パターンのうちの第１表示パターンを選択する。図１９に示されるように、第１表示パターンでは、表示制御部１３２（図１）は、複数ページの画像データＰ１〜Ｐ３のうちの１ページ目の画像データＰ１を、表示装置１１の表示可能領域と表示装置１２の表示可能領域とに跨って表示する。ユーザ１０１によりページ操作（ページ送り）が行なわれた場合、表示制御部１３２（図１）は、複数ページの画像データＰ１〜Ｐ３のうちの２ページ目の画像データＰ２を、表示装置１１の表示可能領域と表示装置１２の表示可能領域とに跨って表示する。更にユーザ１０１によりページ操作（ページ送り）が行なわれた場合、複数ページの画像データＰ１〜Ｐ３のうちの３ページ目の画像データＰ３が、表示装置１１の表示可能領域と表示装置１２の表示可能領域とに跨って表示される。
【００７２】
例えば、ユーザ１０１が表示パターン選択欄１１１〜１１５のうちの表示パターン選択欄１１２をタッチした場合、制御装置３０の表示制御部１３２（図１）は、第１〜第５表示パターンのうちの第２表示パターンを選択する。図２０に示されるように、第２表示パターンでは、表示制御部１３２（図１）は、複数ページの画像データＰ１〜Ｐ３のうちの１ページ目の画像データＰ１を、表示装置１１の表示可能領域と表示装置１２の表示可能領域との両方に表示する。ユーザ１０１によりページ操作（ページ送り）が行なわれた場合、表示制御部１３２（図１）は、複数ページの画像データＰ１〜Ｐ３のうちの２ページ目の画像データＰ２を、表示装置１１の表示可能領域と表示装置１２の表示可能領域との両方に表示する。更にユーザ１０１によりページ操作（ページ送り）が行なわれた場合、複数ページの画像データＰ１〜Ｐ３のうちの３ページ目の画像データＰ３が、表示装置１１の表示可能領域と表示装置１２の表示可能領域との両方に表示される。
【００７３】
例えば、ユーザ１０１が表示パターン選択欄１１１〜１１５のうちの表示パターン選択欄１１３をタッチした場合、制御装置３０の表示制御部１３２（図１）は、第１〜第５表示パターンのうちの第３表示パターンを選択する。図２１に示されるように、第３表示パターンでは、表示制御部１３２（図１）は、複数ページの画像データＰ１〜Ｐ３のうちの１ページ目の画像データＰ１、２ページ目の画像データＰ２を、それぞれ、表示装置１１の表示可能領域、表示装置１２の表示可能領域に表示する。ユーザ１０１によりページ操作（ページ送り）が行なわれた場合、複数ページの画像データＰ１〜Ｐ３のうちの２ページ目の画像データＰ２、３ページ目の画像データＰ３が、それぞれ、表示装置１１の表示可能領域、表示装置１２の表示可能領域に表示される。
【００７４】
例えば、ユーザ１０１が表示パターン選択欄１１１〜１１５のうちの表示パターン選択欄１１４をタッチした場合、制御装置３０の表示制御部１３２（図１）は、第１〜第５表示パターンのうちの第４表示パターンを選択する。図２２に示されるように、第４表示パターンでは、表示制御部１３２（図１）は、複数ページの画像データＰ１〜Ｐ３のうちの１ページ目の画像データＰ１を、表示装置１１の表示可能領域に表示する。ユーザ１０１によりページ操作（ページ送り）が行なわれた場合、表示制御部１３２（図１）は、複数ページの画像データＰ１〜Ｐ３のうちの２ページ目の画像データＰ２を、表示装置１１の表示可能領域に表示する。更にユーザ１０１によりページ操作（ページ送り）が行なわれた場合、複数ページの画像データＰ１〜Ｐ３のうちの３ページ目の画像データＰ３が、表示装置１１の表示可能領域に表示される。第４表示パターンによる表示方法は、表示方法選択画面１１０上で表示パターンをユーザ１０１に選択させる動作以外は、第１実施形態における拡張動作（複数ページ画像表示処理）と同じである。
【００７５】
例えば、ユーザ１０１が表示パターン選択欄１１１〜１１５のうちの表示パターン選択欄１１５をタッチした場合、制御装置３０の表示制御部１３２（図１）は、第１〜第５表示パターンのうちの第５表示パターンを選択する。図２３に示されるように、第５表示パターンでは、表示制御部１３２（図１）は、複数ページの画像データＰ１〜Ｐ３が表示装置１１の表示可能領域と表示装置１２の表示可能領域とに収まるように、複数ページの画像データＰ１〜Ｐ３のサイズを変更する。サイズが変更された複数ページの画像データＰ１〜Ｐ３は、表示装置１１、１２の配置方向に並べられて、表示装置１１、１２の表示可能領域に表示される。
【００７６】
以上の説明により、第２実施形態に係る表示システムは、複数台の表示装置１１、１２と、複数台の表示装置１１、１２に接続された制御装置３０と、を具備し、制御装置３０は、複数台の表示装置１１、１２の中から、少なくとも１つの表示装置（第２、第３、第５表示パターンの場合は表示装置１１、１２）（第４表示パターンの場合は表示装置１１）をユーザ１０１（先生、プレゼンターなど）に選択させる装置選択部１３１と、選択された表示装置に画像データを表示する表示制御部１３２と、を具備している。このように、第２実施形態に係る表示システムでは、複数台の表示装置１１、１２が並べて配置されるようなマルチディスプレイを考慮した場合、画像データを表示する前に、表示装置をユーザ１０１が選択することにより、画像データを複数台の表示装置１１、１２に跨って表示しないで、選択された表示装置に画像データを表示する。したがって、第２実施形態に係る表示システムによれば、複数台の表示装置１１、１２に対して画像データを表示する際に、ユーザ１０１や視聴者１０２（生徒、受講者など）に対して画像データを見易くするために、ユーザ１０１が意図した位置（選択された表示装置）に画像データを表示することができる。
【００７７】
［第３実施形態］
第３実施形態に係る表示システムでは、第１実施形態からの変更点を説明する。
【００７８】
図２４は、第３実施形態に係る表示システムの構成を示すブロック図である。図２４に示されるように、複数台の表示装置は、例えば、表示装置１１〜１３であり、複数の入力検知装置は、入力検知装置２１〜２３であるものとする。複数の入力検知装置２１〜２３は、それぞれ複数台の表示装置１１〜１３に設けられている。
【００７９】
図２５〜２８は、第３実施形態に係る表示システムの動作（表示処理）について説明するための図である。
【００８０】
図２５に示されるように、制御装置３０において、制御部３２（図２４）は、画像データＰ１（コンテンツ）を入力または受信する（図４のステップＳ１）。このとき、制御部３２（図２４）は、その画像データＰ１をフォルダ１４２（図２４）に保存する。また、図２６に示されるように、通知制御部１３１Ａ（図２４）は、画像データＰ１を入力または受信した旨を表す通知情報（メッセージ情報１２０）を、複数台の表示装置１１〜１３に表示することにより、ユーザ１０１（図３）に通知する（図４のステップＳ２）。
【００８１】
図２７に示されるように、ユーザ１０１が複数台の表示装置１１〜１３のうちの表示装置１１、１３をタッチした場合（図４のステップＳ３−Ｙｅｓ）、複数の入力検知装置２１〜２３のうちの入力検知装置２１、２３は、それぞれ、表示装置１１、１３に対するユーザのタッチを検知する。制御装置３０の装置選択部１３１（図２４）は、複数台の表示装置１１〜１３のうちの、ユーザ１０１によりタッチされた表示装置１１、１３を選択する（図４のステップＳ４）。
【００８２】
ここで、選択された表示装置１１、１３上のユーザ１０１によりタッチされた位置に、それぞれ、メッセージ情報１２０が存在する場合（図４のステップＳ５−Ｙｅｓ）、制御装置３０の表示制御部１３２（図２４）は、画像データＰ１（コンテンツ）の確認として、画像データＰ１のサイズを確認する（図４のステップＳ６）。図２８に示されるように、表示制御部１３２（図２４）は、選択された表示装置１１、１３の表示可能領域に、画像データＰ１を表示する（図４のステップＳ７）。
【００８３】
以上の説明により、第３実施形態に係る表示システムは、複数台の表示装置１１〜１３と、複数台の表示装置１１〜１３に接続された制御装置３０と、を具備し、制御装置３０は、複数台の表示装置１１〜１３の中から、少なくとも１つの表示装置（第３実施形態の場合では表示装置１１、１３）をユーザ１０１（先生、プレゼンターなど）に選択させる装置選択部１３１と、選択された表示装置１１、１３に画像データＰ１を表示する表示制御部１３２と、を具備している。このように、第３実施形態に係る表示システムでは、複数台の表示装置１１〜１３が並べて配置されるようなマルチディスプレイを考慮した場合、画像データＰ１を表示する前に、表示装置１１、１３をユーザ１０１が選択することにより、画像データＰ１を複数台の表示装置に跨って表示しないで（この場合、画像データＰ１を表示装置１１、１２に跨って表示したり、表示装置１２、１３に跨って表示したりすることなく）、選択された表示装置１１、１３に画像データＰ１を表示する。したがって、第３実施形態に係る表示システムによれば、複数台の表示装置１１〜１３に対して画像データＰ１を表示する際に、ユーザ１０１や視聴者１０２（生徒、受講者など）に対して画像データＰ１を見易くするために、ユーザ１０１が意図した位置（選択された表示装置１１、１３）に画像データＰ１を表示することができる。
【００８４】
［第４実施形態］
第４実施形態に係る表示システムでは、第３実施形態からの変更点を説明する。
【００８５】
第４実施形態に係る表示システムの動作（表示処理）について、図２５、２６、２８、２９を用いて説明する。図２９は、第４実施形態に係る表示システムの動作（表示処理）について説明するための図である。
【００８６】
図２５に示されるように、制御装置３０において、制御部３２（図２４）は、画像データＰ１（コンテンツ）を入力または受信する（図４のステップＳ１）。このとき、制御部３２（図２４）は、その画像データＰ１をフォルダ１４２（図２４）に保存する。また、図２６に示されるように、通知制御部１３１Ａ（図２４）は、画像データＰ１を入力または受信した旨を表す通知情報（メッセージ情報１２０）を、複数台の表示装置１１〜１３に表示することにより、ユーザ１０１（図３）に通知する（図４のステップＳ２）。
【００８７】
図２９に示されるように、ユーザ１０１が複数台の表示装置１１〜１３のうちの２つの表示装置をタッチした場合（図４のステップＳ３−Ｙｅｓ）、複数の入力検知装置２１〜２３のうちの２つの入力検知装置は、それぞれ、２つの表示装置に対するユーザのタッチを検知する。例えば、ユーザ１０１は、時刻ｔ１において複数台の表示装置１１〜１３のうちの表示装置１１をタッチし、時刻ｔ１の後の時刻ｔ２において複数台の表示装置１１〜１３のうちの表示装置１３をタッチしたものとする。ここで、時刻ｔ１から時刻ｔ２までの時間Ｔは、所定時間Ｔｔｈ以内であるものとする。この場合、制御装置３０の装置選択部１３１（図２４）は、複数台の表示装置１１〜１３のうちの、ユーザ１０１により最初にタッチされた表示装置１１と、ユーザ１０１により最初にタッチされてから所定時間Ｔｔｈ内にタッチされた表示装置１３とを選択する（図４のステップＳ４）。
【００８８】
ここで、選択された表示装置１１、１３上のユーザ１０１によりタッチされた位置に、それぞれ、メッセージ情報１２０が存在する場合（図４のステップＳ５−Ｙｅｓ）、制御装置３０の表示制御部１３２（図２４）は、画像データＰ１（コンテンツ）の確認として、画像データＰ１のサイズを確認する（図４のステップＳ６）。図２８に示されるように、表示制御部１３２（図２４）は、選択された表示装置１１、１３の表示可能領域に、画像データＰ１を表示する（図４のステップＳ７）。
【００８９】
以上の説明により、第４実施形態に係る表示システムでは、装置選択部１３１は、複数台の表示装置１１〜１３のうちの、ユーザ１０１により最初に指示（タッチ）された表示装置１１と、ユーザ１０１により最初に指示（タッチ）されてから所定時間Ｔｔｈ内に指示（タッチ）された表示装置１３とを選択する。このように、第４実施形態に係る表示システムでは、ユーザ１０１が所定時間Ｔｔｈ内に表示装置１１、１３を選択して画像データＰ１を表示装置１１、１３に表示させることにより、例えば、ユーザ１０１がその画像データＰ１に関する説明を速やかに行なうことができる。
【００９０】
第４実施形態について、図４７を利用して説明すると、制御装置３０は、表示装置１１からコンテンツ表示選択信号を受信した後（Ｓ１２０）、表示装置１２からもコンテンツ表示選択信号を受信する。ここで、Ｓ１２０において、コンテンツ表示選択信号が受信され、所定時間Ｔｔｈ内に表示装置１３からコンテンツ表示選択信号が受信された場合には、コンテンツを表示装置１３にも送信することとなる。
【００９１】
［第５実施形態］
第５実施形態に係る表示システムでは、第１実施形態からの変更点を説明する。
【００９２】
図３０〜３３は、第５実施形態に係る表示システムの動作（表示処理）について説明するための図である。図３０〜３３に示されるように、複数台の表示装置１１、１２には報知手段としてスピーカ５００が設けられている。
【００９３】
図３０に示されるように、制御装置３０において、制御部３２（図１）は、画像データＰ１（コンテンツ）を入力または受信する（図４のステップＳ１）。このとき、制御部３２（図１）は、その画像データＰ１をフォルダ１４２（図１）に保存する。また、図３１に示されるように、通知制御部１３１Ａ（図１）は、画像データＰ１を入力または受信した旨を表す通知情報（メッセージ情報１２０）を、複数台の表示装置１１、１２に表示することにより、ユーザ１０１（図３）に通知する。また、ユーザ１０１に注目させるために、通知制御部１３１Ａ（図１）は、画像データを入力または受信したときに、その旨を、複数台の表示装置１１、１２の表示画面を点滅させることにより、ユーザ１０１に通知する。表示画面の点滅としては、表示可能領域全体（図３１の斜線部分を参照）を点滅させてもよいし、メッセージ情報１２０を点滅させてもよい。
【００９４】
また、ユーザ１０１に注目させるために、通知制御部１３１Ａ（図１）は、画像データを入力または受信したときに、その旨を表す音を、複数台の表示装置１１、１２に設けられたスピーカ５００から出力することによりユーザ１０１に通知してもよい（図４のステップＳ２）。スピーカ５００からは、音声、警告音、メロディ等の音が出力される。
【００９５】
図３２に示されるように、ユーザ１０１が複数台の表示装置１１、１２のうちの表示装置１１をタッチした場合（図４のステップＳ３−Ｙｅｓ）、複数の入力検知装置２１、２２のうちの入力検知装置２１は、表示装置１１に対するユーザのタッチを検知する。制御装置３０の装置選択部１３１（図１）は、複数台の表示装置１１、１２のうちの、ユーザ１０１によりタッチされた表示装置１１を選択する（図４のステップＳ４）。
【００９６】
ここで、選択された表示装置１１上のユーザ１０１によりタッチされた位置にメッセージ情報１２０が存在する場合（図４のステップＳ５−Ｙｅｓ）、制御装置３０の表示制御部１３２（図１）は、画像データＰ１（コンテンツ）の確認として、画像データＰ１のサイズを確認する（図４のステップＳ６）。図３３に示されるように、表示制御部１３２（図１）は、選択された表示装置１１の表示可能領域に、画像データＰ１を表示する（図４のステップＳ７）。
【００９７】
以上の説明により、第５実施形態に係る表示システムでは、通知制御部１３１Ａは、画像データＰ１を入力または受信したときに、その旨を、複数台の表示装置１１、１２の表示画面を点滅させることによりユーザ１０１に通知する。このように、第５実施形態に係る表示システムでは、画像データＰ１を入力または受信したときに、その旨を、複数台の表示装置１１、１２の表示画面を点滅させることにより、ユーザ１０１は、画像データＰ１が入力または受信されたことを視覚的に知ることができる。
【００９８】
また、第５実施形態に係る表示システムでは、複数台の表示装置１１、１２にはスピーカ５００が設けられ、通知制御部１３１Ａは、画像データＰ１を入力または受信したときに、その旨を表す音を、複数台の表示装置１１、１２に設けられたスピーカ５００から出力することによりユーザ１０１に通知する。このように、第５実施形態に係る表示システムでは、画像データＰ１を入力または受信したときに、その旨を表す音をスピーカ５００から出力することにより、ユーザ１０１は、画像データＰ１が入力または受信されたことを聴覚で知ることができる。
【００９９】
なお、第５実施形態に係る表示システムでは、ユーザ１０１に通知する方法として、通知情報（メッセージ情報１２０）を複数台の表示装置１１、１２に表示する方法と、複数台の表示装置１１、１２の表示画面を点滅させる方法と、複数台の表示装置１１、１２に設けられたスピーカ５００から音を出力させる方法とを説明したが、これらの方法は、単独でも組み合わせでもよい。
【０１００】
すなわち、通知情報（メッセージ情報１２０）を、表示装置１１，１２に表示させることなく、表示画面を点滅させたり、報知手段から報知したりする構成としてもよい。これにより、例えば、各表示装置で所定の操作を行うことで、コンテンツを受信する操作を行ってもよい。
【０１０１】
また、報知手段としては、音を出力するスピーカ５００を例に説明したが、例えばサイレン等の他の音を出力して報知する装置や、回転灯等の光による報知する装置、振動によって報知する装置等であってもよい。
【０１０２】
［第６実施形態］
第６実施形態に係る表示システムでは、第１実施形態からの変更点を説明する。
【０１０３】
第６実施形態に係る表示システムの動作（表示処理）について、図５、８、３４、３５を用いて説明する。図３４、３５は、第６実施形態に係る表示システムの動作（表示処理）について説明するための図である。
【０１０４】
図５に示されるように、制御装置３０において、制御部３２（図１）は、画像データＰ１（コンテンツ）を入力または受信する（図４のステップＳ１）。このとき、制御部３２（図１）は、その画像データＰ１をフォルダ１４２（図１）に保存する。また、通知制御部１３１Ａ（図１）は、画像データＰ１を入力または受信した旨を表す通知情報を、複数台の表示装置１１、１２に表示することにより、ユーザ１０１（図３）に通知する。図３４に示されるように、通知情報は、画像データを入力または受信したことをプレビュー表示により通知するためのプレビュー表示情報６２０である。例えば、画像データ（コンテンツ）が受信された場合、プレビュー表示情報６２０によって、画像データＰ１のプレビューが複数台の表示装置１１、１２に表示される（図４のステップＳ２）。
【０１０５】
図３５に示されるように、ユーザ１０１が複数台の表示装置１１、１２のうちの表示装置１１をタッチした場合（図４のステップＳ３−Ｙｅｓ）、複数の入力検知装置２１、２２のうちの入力検知装置２１は、表示装置１１に対するユーザのタッチを検知する。制御装置３０の装置選択部１３１（図１）は、複数台の表示装置１１、１２のうちの、ユーザ１０１によりタッチされた表示装置１１を選択する（図４のステップＳ４）。
【０１０６】
ここで、選択された表示装置１１上のユーザ１０１によりタッチされた位置にメッセージ情報１２０が存在する場合（図４のステップＳ５−Ｙｅｓ）、制御装置３０の表示制御部１３２（図１）は、画像データＰ１（コンテンツ）の確認として、画像データＰ１のサイズを確認する（図４のステップＳ６）。図８に示されるように、表示制御部１３２（図１）は、選択された表示装置１１の表示可能領域に、画像データＰ１を表示する（図４のステップＳ７）。
【０１０７】
以上の説明により、第６実施形態に係る表示システムでは、通知制御部１３１Ａは、画像データＰ１を入力または受信したときに、その旨を表す通知情報を複数台の表示装置１１、１２に表示することによりユーザ１０１に通知する。具体的には、通知情報は、画像データＰ１を入力または受信したことをプレビュー表示により通知するためのプレビュー表示情報６２０である。このように、第６実施形態に係る表示システムでは、画像データＰ１を入力または受信したときに、通知情報（プレビュー表示情報６２０）を複数台の表示装置１１、１２に表示することにより、ユーザ１０１は、画像データＰ１が入力または受信されたことを視覚的に知ることができる。
【０１０８】
なお、第６実施形態に係る表示システムでは、ユーザ１０１に通知する方法として、通知情報（プレビュー表示情報６２０）を複数台の表示装置１１、１２に表示する方法のみ説明しているが、これに限定されない。ユーザ１０１に通知する方法としては、通知情報（プレビュー表示情報６２０）を複数台の表示装置１１、１２に表示する方法と、複数台の表示装置１１、１２の表示画面を点滅させる方法と、複数台の表示装置１１、１２に設けられたスピーカ５００から音を出力させる方法とが挙げられる。これらの方法は、単独でも組み合わせでもよい。
【０１０９】
［第７実施形態］
第７実施形態に係る表示システムでは、第３実施形態からの変更点を説明する。
【０１１０】
図３６〜４１は、第７実施形態に係る表示システムの動作（表示処理）について説明するための図である。
【０１１１】
まず、制御装置３０において、装置選択部１３１（図２４）は、複数台の表示装置１１〜１３のうちの表示装置１２に通知情報（例えば、図２６のメッセージ情報１２０を参照）が表示されないようにするために、ユーザ１０１（図３）の指定により複数台の表示装置１１〜１３のうちの表示装置１１、１３を選択する。
【０１１２】
例えば、図３６に示されるように、ユーザ１０１は、制御装置３０に対して、複数台の表示装置１１〜１３のうちの表示装置１１、１３を指定するための指定情報Ｄ７１を与え、装置選択部１３１（図２４）は、指定情報Ｄ７１に基づいて、複数台の表示装置１１〜１３のうちの表示装置１１、１３を選択する。すなわち、複数台の表示装置１１〜１３のうちの表示装置１２を非選択の表示装置とする（図３６の点線を参照）。
【０１１３】
または、図３７に示されるように、ユーザ１０１は、複数台の表示装置１１〜１３のうちの表示装置１２に対して、表示装置１２を指定していないための非指定情報Ｄ７２を与え、装置選択部１３１（図２４）は、非指定情報Ｄ７２に基づいて、複数台の表示装置１１〜１３のうちの表示装置１２以外の表示装置１１、１３を選択する。すなわち、複数台の表示装置１１〜１３のうちの表示装置１２を非選択の表示装置とする（図３７の点線を参照）。非指定情報Ｄ７２の付与は、表示装置１２に対してユーザ１０１が手のひらで設定時間以上タッチすることにより実現する。なお、非指定情報Ｄ７２を与える方法としては、入力情報の入力などと区別がつけば、他の方法でもよい。
【０１１４】
図３８に示されるように、制御装置３０において、制御部３２（図２４）は、画像データＰ１（コンテンツ）を入力または受信する（図４のステップＳ１）。このとき、制御部３２（図２４）は、その画像データＰ１をフォルダ１４２（図２４）に保存する。また、図３９に示されるように、通知制御部１３１Ａ（図２４）は、画像データＰ１を入力または受信した旨を表す通知情報（メッセージ情報１２０）を、複数台の表示装置１１〜１３のうちの表示装置１１、１３に表示することにより、ユーザ１０１（図３）に通知する（図４のステップＳ２）。
【０１１５】
図４０に示されるように、ユーザ１０１が複数台の表示装置１１〜１３のうちの表示装置１１をタッチした場合（図４のステップＳ３−Ｙｅｓ）、複数の入力検知装置２１〜２３のうちの入力検知装置２１は、表示装置１１に対するユーザのタッチを検知する。制御装置３０の装置選択部１３１（図２４）は、複数台の表示装置１１〜１３のうちの、ユーザ１０１によりタッチされた表示装置１１を選択する（図４のステップＳ４）。
【０１１６】
ここで、選択された表示装置１１上のユーザ１０１によりタッチされた位置にメッセージ情報１２０が存在する場合（図４のステップＳ５−Ｙｅｓ）、制御装置３０の表示制御部１３２（図２４）は、画像データＰ１（コンテンツ）の確認として、画像データＰ１のサイズを確認する（図４のステップＳ６）。図４１に示されるように、表示制御部１３２（図２４）は、選択された表示装置１１の表示可能領域に、画像データＰ１を表示する（図４のステップＳ７）。
【０１１７】
以上の説明により、第７実施形態に係る表示システムでは、装置選択部１３１は、ユーザ１０１の指定により複数台の表示装置１１〜１３のうちの少なくとも１つの表示装置１１、１３を選択し、通知制御部１３１Ａは、画像データＰ１を入力または受信したときに、その旨を、指定された表示装置１１、１３によりユーザ１０１に通知する。このように、第７実施形態に係る表示システムでは、複数台の表示装置１１〜１３の各々に対して、通知情報（メッセージ情報１２０）の表示または非表示を指定することができる。
【０１１８】
［第８実施形態］
第８実施形態に係る表示システムでは、第１〜第７実施形態からの変更点を説明する。
【０１１９】
第１〜第７実施形態に係る表示システムでは、ユーザ１０１（先生、プレゼンターなど）が、複数台の表示装置１１、１２のうちの少なくとも１つの表示装置（例えば、第１実施形態の場合、表示装置１１）をタッチすることにより、画像データを表示するための表示装置を選択している。
【０１２０】
一方、第８実施形態に係る表示システムでは、図４２に示されるように、ユーザ１０１とは別のユーザ１０３（オペレーターなど）が、制御装置３０を用いて、複数台の表示装置１１、１２のうちの少なくとも１つの表示装置を指定することにより、画像データを表示するための表示装置を選択する。
【０１２１】
図４３、４４は、第８実施形態に係る表示システムの動作（表示処理）について説明するための図である。
【０１２２】
図４３に示されるように、制御装置３０において、フォルダ１４２（図１）には、画像データＰ１が保存されている。
【０１２３】
図４４に示されるように、ユーザ１０３（オペレーターなど）は、制御装置３０に対して、複数台の表示装置１１、１２のうちの表示装置１１を指定するための指定情報Ｄ８０を与え、装置選択部１３１（図１）は、指定情報Ｄ８０に基づいて、複数台の表示装置１１、１２のうちの表示装置１１を選択する。
【０１２４】
制御装置３０の表示制御部１３２（図１）は、画像データＰ１（コンテンツ）の確認として、画像データＰ１のサイズを確認する。図４４に示されるように、表示制御部１３２（図１）は、選択された表示装置１１の表示可能領域に、画像データＰ１を表示する。
【０１２５】
以上の説明により、第８実施形態に係る表示システムは、複数台の表示装置１１、１２と、複数台の表示装置１１、１２に接続された制御装置３０と、を具備し、制御装置３０は、複数台の表示装置１１、１２の中から、少なくとも１つの表示装置（第８実施形態の場合、表示装置１１）をユーザ１０３（オペレーターなど）に選択させる装置選択部１３１と、選択された表示装置１１に画像データを表示する表示制御部１３２と、を具備している。このように、第８実施形態に係る表示システムでは、複数台の表示装置１１、１２が並べて配置されるようなマルチディスプレイを考慮した場合、画像データＰ１を表示する前に、表示装置１１をユーザ１０３が選択することにより、画像データＰ１を複数台の表示装置１１、１２に跨って表示しないで、選択された表示装置１１に画像データＰ１を表示する。したがって、第８実施形態に係る表示システムによれば、複数台の表示装置１１、１２に対して画像データＰ１を表示する際に、ユーザ１０１（先生、プレゼンターなど）や視聴者１０２（生徒、受講者など）に対して画像データＰ１を見易くするために、ユーザ１０１、１０３が意図した位置（選択された表示装置１１）に画像データＰ１を表示することができる。
【０１２６】
なお、第１〜第８実施形態に係る表示システムでは、画像データを見易くするために、ユーザが意図した位置に表示することができれば、複数台の表示装置１１、１２は必ずしも並べて配置されていなくてもよい。
【０１２７】
［第９実施形態］
第９実施形態に係る表示システムでは、第１〜第８実施形態からの変更点を説明する。
【０１２８】
例えば、第１実施形態では、メッセージ情報１２０として、例えば「受信」というメッセージが表示されることとして説明した。また、第６実施形態では、受信されたコンテンツである画像データのプレビュー表示が行われることについて説明した。
【０１２９】
本実施形態では、このメッセージ情報に、任意のメッセージを含ませて表示させる実施形態について説明する。具体的には、制御装置３０において、通知するメッセージを入力する。この入力されたメッセージが、通知メッセージとしてメッセージ情報に含まれ、当該通知メッセージが各表示装置に表示される。
【０１３０】
図４５は、本実施形態の動作を説明するための図である。ここで、制御装置３０において、「質問あり」と入力された場合について説明する。
【０１３１】
制御装置３０において入力されたメッセージは、表示装置１１、１２において通知メッセージ１２２として表示される。このように、通知メッセージとして表示されるメッセージを任意に入力することができる。
【０１３２】
なお、上述した実施形態と併せて表示することとしてもよいし、複数のメッセージから選択するようにしてもよい。また、表示装置に表示するコンテンツの種類に応じて選択できることとしてもよいし、外部の装置（例えば、メール等）により受信された内容が表示されることとしてもよい。
【０１３３】
また、メッセージを入力せずに、複数の中から選択してもよい。このとき、利用者が選択することとしてもよいし、受信したコンテンツの属性に応じて選択されることとしてもよい。これにより、コンテンツに応じた通知メッセージが表示される。
【０１３４】
例えば、画像・映像のコンテンツであれば「受信しました」といった所定画像が表示されたり、サムネイル画像が表示されたりするが、テキストであればテキスト（又はテキストの一部）が表示されたりするようにしてもよい。
【０１３５】
また、外部メール等の場合、メールの内容によりメッセージを表示してもよい。例えば、メールや簡易メッセージソフトの本文に基づいてメッセージが表示されたり、送信者に応じてメッセージが選択されて表示されたりしてもよい。
【０１３６】
［第１０実施形態］
第１０実施形態に係る表示システムでは、第１〜第８実施形態からの変更点を説明する。
【０１３７】
第１０実施形態は、図４６に示すように、表示装置１１、１２が、ネットワークＮＷを介して接続されている。また、制御装置３０もネットワークＮＷに接続されている。ネットワークＮＷは、既存のネットワーク（例えば有線／無線ＬＡＮ）により接続されていてもよいし、ＬＴＥやＷｉＭＡＸ（登録商標）を利用したネットワーク上で構築された仮想のネットワークであってもよい。
【０１３８】
制御装置３０において、例えばＩＰアドレスやＭＡＣアドレスを管理することにより、表示装置を特定する。そして、特定された表示装置に対して、上述した実施形態と同様の処理を実行する。
【０１３９】
これにより、例えば大会議室で、同じ画面が表示されている場合、プレゼンターの移動に伴い移動先の表示装置に表示することが可能となる。
【０１４０】
［変形例］
以上のように、本発明は上述した実施形態に限定されるものではなく、種々の変更が可能である。すなわち、適宜変更した技術的手段を組み合わせて得られる実施形態についても技術的範囲に含まれる。
【０１４１】
また、上述した実施形態では、表示装置とは別に制御装置を設ける構成としているが、制御装置は表示装置に含めて構成してもよい。例えば、１台の表示装置を親機とし、他の表示装置を子機として設定することにより、同様の処理を実現できることは、当業者であれば自明の範囲である。
【０１４２】
また、制御装置は、他の装置においてソフトウェアで実現してもよいし、外部機器で実現することも可能である。例えば、スマートフォンやタブレット端末に、アプリケーションをインストールし、実行することで同様の処理を実現することが可能であることは当業者であれば自明の範囲である。
【０１４３】
また、第１実施形態、第４実施形態において、図４のフロー図の他に図４７のシーケンス図を利用して説明したが、他の実施形態においても、同様の処理が説明できることは勿論である。すなわち、図４７は、各装置の構成を明確にした図であり、本実施形態の発明を実現するための説明を示した一例である。
【符号の説明】
【０１４４】
１１  …  表示装置
１２  …  表示装置
１３  …  表示装置
２１  …  入力検知装置
２２  …  入力検知装置
２３  …  入力検知装置
３０  …  制御装置
３１  …  記憶部
３２  …  制御部
１０１  …  ユーザ（先生、プレゼンター）
１０２  …  視聴者（生徒、受講者）
１０３  …  ユーザ（オペレーター）
１１０  …  表示方法選択画面
１１１  …  表示パターン選択欄
１１２  …  表示パターン選択欄
１１３  …  表示パターン選択欄
１１４  …  表示パターン選択欄
１１５  …  表示パターン選択欄
１２０  …  メッセージ情報
１３１  …  装置選択部
１３１Ａ  …  通知制御部
１３２  …  表示制御部
１３３  …  ページ操作制御部
１４１  …  テーブル
１４２  …  フォルダ
５００  …  スピーカ
６２０  …  プレビュー表示情報
１０００  …  部屋（教室）
１０１０  …  机（先生用）
１０２０  …  机（生徒用）
Ｄ７１  …  指定情報
Ｄ７２  …  非指定情報
Ｄ８０  …  指定情報
Ｐ１  …  画像データ
Ｐ２  …  画像データ
Ｐ３  …  画像データ
【図１】
2017150223.tif 000003
【図２】
2017150223.tif 000004
【図３】
2017150223.tif 000005
【図４】
2017150223.tif 000006
【図５】
2017150223.tif 000007
【図６】
2017150223.tif 000008
【図７】
2017150223.tif 000009
【図８】
2017150223.tif 000010
【図９】
2017150223.tif 000011
【図１０】
2017150223.tif 000012
【図１１】
2017150223.tif 000013
【図１２】
2017150223.tif 000014
【図１３】
2017150223.tif 000015
【図１４】
2017150223.tif 000016
【図１５】
2017150223.tif 000017
【図１６】
2017150223.tif 000018
【図１７】
2017150223.tif 000019
【図１８】
2017150223.tif 000020
【図１９】
2017150223.tif 000021
【図２０】
2017150223.tif 000022
【図２１】
2017150223.tif 000023
【図２２】
2017150223.tif 000024
【図２３】
2017150223.tif 000025
【図２４】
2017150223.tif 000026
【図２５】
2017150223.tif 000027
【図２６】
2017150223.tif 000028
【図２７】
2017150223.tif 000029
【図２８】
2017150223.tif 000030
【図２９】
2017150223.tif 000031
【図３０】
2017150223.tif 000032
【図３１】
2017150223.tif 000033
【図３２】
2017150223.tif 000034
【図３３】
2017150223.tif 000035
【図３４】
2017150223.tif 000036
【図３５】
2017150223.tif 000037
【図３６】
2017150223.tif 000038
【図３７】
2017150223.tif 000039
【図３８】
2017150223.tif 000040
【図３９】
2017150223.tif 000041
【図４０】
2017150223.tif 000042
【図４１】
2017150223.tif 000043
【図４２】
2017150223.tif 000044
【図４３】
2017150223.tif 000045
【図４４】
2017150223.tif 000046
【図４５】
2017150223.tif 000047
【図４６】
2017150223.tif 000048
【図４７】
2017150223.tif 000049
【国際調査報告】
2017150223.tif 000050
2017150223.tif 000051